(57)【要約】      （修正有）【課題】実際の状況に即した適切な在留資格審査を行えるようにする。【解決手段】ブラックリストに情報を登録するブラックリストブラックリスト登録装置２０であって、対象となる外国人を特定する外国人特定情報に対応付けて、当該外国人の所属機関への所属終了日の情報を格納する通報格納部２２と、外国人特定情報および所属終了日の情報を含む通報を受け付けた場合に、当該外国人特定情報に対応付けて、当該所属終了日を通報格納部２２に格納させる通報受付部２３と、通報格納部２２に格納されている所属終了日が、本日よりも前の日である場合に、当該所属終了日に対応する外国人特定情報で特定される外国人の情報を、ブラックリストに登録する登録部２５とを備える。【選択図】図２
2015011643.tif 000002
【特許請求の範囲】
【請求項１】
ブラックリストに情報を登録するブラックリスト登録装置であって、
対象となる外国人を特定する外国人特定情報に対応付けて、当該外国人の所属機関への所属終了日の情報を格納する通報格納部と、
前記外国人特定情報および前記所属終了日の情報を含む通報を受け付けた場合に、当該外国人特定情報に対応付けて、当該所属終了日を前記通報格納部に格納させる通報受付部と、
前記通報情報格納部に格納されている前記所属終了日が、本日よりも前の日である場合に、当該所属終了日に対応する外国人特定情報で特定される外国人の情報を、前記ブラックリストに登録する登録部と
を備えることを特徴とするブラックリスト登録装置。
【請求項２】
請求項１に記載のブラックリスト登録装置であって、
前記登録部は、
前記通報情報格納部に格納されている前記所属終了日に、予め定められた日数を加えた日が、本日よりも前の日である場合に、当該所属終了日に対応する外国人特定情報で特定される外国人の情報を、前記ブラックリストに登録することを特徴とするブラックリスト登録装置。
【請求項３】
請求項１または２にブラックリスト記載の登録装置であって、
前記通報受付部は、
受け付けた前記通報に含まれている情報に基づいて、当該通報の正確性を判定し、正確であると判定した場合に、受け付けた通報を前記通報格納部に格納させることを特徴とするブラックリスト登録装置。
【請求項４】
請求項３に記載のブラックリスト登録装置であって、
前記外国人特定情報に対応付けて、在留資格審査を経て認められた在留資格の種別情報を格納する外国人情報格納部と、
在留資格の種別情報に対応付けて、当該在留資格の取消処分の内容を格納する処分内容格納部と
さらに備え、
前記通報には、在留資格の取消処分の内容を示す情報がさらに含まれており、
前記通報受付部は、
受け付けた前記通報に含まれている外国人特定情報に基づいて前記外国人情報格納部を参照し、当該外国人特定情報に対応付けられている在留資格の種別情報を特定し、特定した在留資格の種別情報と受け付けた前記通報に含まれている在留資格の取消処分の内容との組合せが、前記処分内容格納部内に格納されている組合せと一致する場合に、受け付けた前記通報が正確であると判定することを特徴とするブラックリスト登録装置。
【請求項５】
請求項１から４のいずれか一項に記載のブラックリスト登録装置であって、
前記登録部は、
前記ブラックリストに登録した外国人の情報の中で、登録してから予め定められた日数が経過した情報を、前記ブラックリストから削除することを特徴とするブラックリスト登録装置。
【請求項６】
ブラックリストに情報を登録するブラックリスト登録装置におけるブラックリスト登録方法であって、
前記ブラックリスト登録装置が、
対象となる外国人を特定する外国人特定情報、および、当該外国人の所属終了日の情報を含む通報を受け付けた場合に、当該外国人特定情報に対応付けて、当該所属終了日を通報格納部に格納させる通報受付ステップと、
前記通報情報格納部に格納されている前記所属終了日が、本日よりも前の日である場合に、当該所属終了日に対応する外国人特定情報で特定される外国人の情報を、前記ブラックリストに登録する登録ステップと
を実行することを特徴とするブラックリスト登録方法。
【請求項７】
コンピュータを、ブラックリストに情報を登録するブラックリスト登録装置として機能させるプログラムであって、
前記コンピュータに、
対象となる外国人を特定する外国人特定情報、および、当該外国人の所属終了日の情報を含む通報を受け付けた場合に、当該外国人特定情報に対応付けて、当該所属終了日をデータベースに格納する通報受付機能と、
前記データベースに格納されている前記所属終了日が、本日よりも前の日である場合に、当該所属終了日に対応する外国人特定情報で特定される外国人の情報を、前記ブラックリストに登録する登録機能と
を実現させることを特徴とするプログラム。
【発明の詳細な説明】
【技術分野】
【０００１】
本発明は、ブラックリスト登録装置、ブラックリスト登録方法、およびプログラムに関する。
【背景技術】
【０００２】
下記の特許文献１には、審査結果や処分結果を効率よく決定するために、その時々の審査結果や処分結果を元に次回の審査結果、処分結果を決定する上で、判断の助けとなる情報をデータベースに登録し、実際の審査に際しては、そのデータベース上で処理に必要な過去の審査状況、処分状況を検索し、今回の審査結果および処分結果を決定するための判断の助けとなるように、上記の検索結果情報をガイダンス画面に表示すると記載されている。
【先行技術文献】
【特許文献】
【０００３】
【特許文献１】特開２００９−１６９８１１号公報
【発明の概要】
【発明が解決しようとする課題】
【０００４】
ところで、上記特許文献１の技術では、一度許可された在留資格を機械的に取消す機能がない。そのため、例えば、留学生が不登校により学校から除籍され、今後も他の教育機関に進学する予定も無いなど、在留資格に該当する活動を継続していない場合であっても、データベース上は在席状態が継続していることになっているため、再入国時などの在留資格審査において、在留資格ありと判断されてしまう場合がある。
【０００５】
本発明は上記事情を鑑みてなされたものであり、本発明の目的は、実際の状況に即した適切な在留資格審査を行えるようにすることにある。
【課題を解決するための手段】
【０００６】
上記課題を解決するための本発明の第一の態様は、例えば、ブラックリストに情報を登録するブラックリスト登録装置であって、
対象となる外国人を特定する外国人特定情報に対応付けて、当該外国人の所属機関への所属終了日の情報を格納する通報格納部と、
前記外国人特定情報および前記所属終了日の情報を含む通報を受け付けた場合に、当該外国人特定情報に対応付けて、当該所属終了日を前記通報格納部に格納させる通報受付部と、
前記通報情報格納部に格納されている前記所属終了日が、本日よりも前の日である場合に、当該所属終了日に対応する外国人特定情報で特定される外国人の情報を、前記ブラックリストに登録する登録部と
を備える。
【０００７】
上記したブラックリスト登録装置において、
前記登録部は、
前記通報情報格納部に格納されている前記所属終了日に、予め定められた日数を加えた日が、本日よりも前の日である場合に、当該所属終了日に対応する外国人特定情報で特定される外国人の情報を、前記ブラックリストに登録するようにしてもよい。
【０００８】
また、上記したブラックリスト登録装置において、
前記通報受付部は、
受け付けた前記通報に含まれている情報に基づいて、当該通報の正確性を判定し、正確であると判定した場合に、受け付けた通報を前記通報格納部に格納させるようにしてもよい。
【０００９】
また、上記したブラックリスト登録装置において、
前記外国人特定情報に対応付けて、在留資格審査において認められた在留資格の種別情報を格納する外国人情報格納部と、
在留資格の種別情報に対応付けて、当該在留資格の取消処分の内容を格納する処分内容格納部と
さらに備えてもよく、
前記通報には、在留資格の取消処分の内容を示す情報がさらに含まれていてもよく、
前記通報受付部は、
受け付けた前記通報に含まれている外国人特定情報に基づいて前記外国人情報格納部を参照し、当該外国人特定情報に対応付けられている在留資格の種別情報を特定し、特定した在留資格の種別情報と受け付けた前記通報に含まれている在留資格の取消処分の内容との組合せが、前記処分内容格納部内に格納されている場合に、受け付けた前記通報が正確であると判定するようにしてもよい。
【００１０】
また、上記したブラックリスト登録装置において、
前記登録部は、
前記ブラックリストに登録した外国人の情報の中で、登録してから予め定められた日数が経過した情報を、前記ブラックリストから削除するようにしてもよい。
【００１１】
また、本発明の第二の態様は、例えば、ブラックリストに情報を登録するブラックリスト登録装置における登録方法であって、
前記登録装置が、
対象となる外国人を特定する外国人特定情報、および、当該外国人の所属終了日の情報を含む通報を受け付けた場合に、当該外国人特定情報に対応付けて、当該所属終了日を通報格納部に格納させる通報受付ステップと、
前記通報情報格納部に格納されている前記所属終了日が、本日よりも前の日である場合に、当該所属終了日に対応する外国人特定情報で特定される外国人の情報を、前記ブラックリストに登録する登録ステップと
を実行する。
【００１２】
また、本発明の第三の態様は、例えば、コンピュータを、ブラックリストに情報を登録するブラックリスト登録装置として機能させるプログラムであって、
前記コンピュータに、
対象となる外国人を特定する外国人特定情報、および、当該外国人の所属終了日の情報を含む通報を受け付けた場合に、当該外国人特定情報に対応付けて、当該所属終了日をデータベースに格納する通報受付機能と、
前記データベースに格納されている前記所属終了日が、本日よりも前の日である場合に、当該所属終了日に対応する外国人特定情報で特定される外国人の情報を、前記ブラックリストに登録する登録機能と
を実現させる。
【発明の効果】
【００１３】
本発明によれば、実際の状況に即した適切な在留資格審査を行うことができる。
【図面の簡単な説明】
【００１４】
【図１】本発明の一実施形態に係る在留資格管理システム１０の構成の一例を示すシステム構成図である。
【図２】ブラックリスト登録装置２０の詳細な機能構成の一例を示すブロック図である。
【図３】通報格納部２２に格納されるデータの構造の一例を示す図である。
【図４】外国人情報格納部２４に格納されるデータの構造の一例を示す図である。
【図５】処分内容格納部２１に格納されるデータの構造の一例を示す図である。
【図６】通報内容画面３０の画面構成の一例を説明するための概念図である。
【図７】通報４０に含まれるデータの構造の一例を示す図である。
【図８】ブラックリスト１２に格納されるデータの構造の一例を示す図である。
【図９】ブラックリスト照会画面３１の画面構成の一例を説明するための概念図である。
【図１０】照会結果画面３２の画面構成の一例を説明するための概念図である。
【図１１】通報格納部への登録処理の一例を示すフローチャートである。
【図１２】ブラックリスト１２への登録処理の一例を示すフローチャートである。
【図１３】ブラックリスト登録装置２０の機能を実現するコンピュータ５０のハードウェア構成の一例を示す図である。
【発明を実施するための形態】
【００１５】
以下、本発明の実施の形態について、図面を参照しながら説明する。
【００１６】
図１は、本発明の一実施形態における在留資格管理システム１０の構成の一例を示すシステム構成図である。在留資格管理システム１０は、在留資格審査を行う審査官が利用する複数の審査端末１３と、ブラックリスト登録装置２０とを備える。それぞれの審査端末１３とブラックリスト登録装置２０とは通信回線１１に接続されている。
【００１７】
ブラックリスト登録装置２０は、外国人が所属している企業等の所属機関が使用する通報者端末１４から、当該外国人の在留状況に関する通報を通信回線１１を介して受け付ける。そして、ブラックリスト登録装置２０は、受け付けた通報に基づいて、ブラックリスト１２に登録すべき情報があれば、その情報を通信回線１１を介してブラックリスト１２に登録する。ブラックリスト１２は、入国管理局サーバ１５等でも参照され、データの登録等もなされる。
【００１８】
在留資格審査を行う審査官は、審査端末１３を用いて、審査対象の外国人から提示された氏名等の情報に基づいてブラックリスト１２を参照する。そして、審査官は、審査対象の外国人の情報がブラックリスト１２に登録されている事実やその理由等を参考に、対象となる外国人の在留資格を審査する。
【００１９】
図２は、ブラックリスト登録装置２０の詳細な機能構成の一例を示すブロック図である。ブラックリスト登録装置２０は、処分内容格納部２１、通報格納部２２、通報受付部２３、外国人情報格納部２４、および登録部２５を有する。
【００２０】
通報格納部２２には、例えば図３に示すように、複数のレコード２３２が格納されている。それぞれのレコード２３２には、それぞれの外国人を識別する外国人特定情報２２０、当該外国人に対して行われた処分内容２２１およびその理由２２２、当該外国人が所属している所属機関の所属機関名２２３および当該機関への所属契約が終了する日を示す所属終了日２２４、通報者に関する情報を示す通報者情報２２５、ならびに処理済みか否かを識別するための完了フラグ２２６が格納される。
【００２１】
外国人特定情報２２０には、例えば図３に示すように、それぞれの外国人を識別する外国人ＩＤ２２７、当該外国人の氏名２２８、国籍２２９、性別２３０、および生年月日２３１等が格納される。
【００２２】
外国人情報格納部２４には、例えば図４に示すように、それぞれの外国人を識別する外国人特定情報２４０に対応付けて、当該外国人に認められた在留資格の種別を示す在留資格種別２４１、当該外国人の在留が認められる期限を示す在留期限２４２、および当該外国人の在留中の所属先を示す所属機関名２４３等が格納される。
【００２３】
なお、外国人情報格納部２４内の情報は、例えば在留資格審査を経た外国人全員の情報であり、その審査を行った審査官の審査端末１３等によって登録される。また、外国人特定情報２４０内の情報は、図３に示した外国人特定情報２２０と同様であるため、詳細な説明は省略する。
【００２４】
処分内容格納部２１には、例えば図５に示すように、在留資格の種別を示す在留資格種別２１０に対応付けて、当該種別の在留資格が取り消される場合に適用される処分内容２１１が予め格納されている。
【００２５】
通報受付部２３は、通信回線１１を介して通報者端末１４からアクセスされた場合に、例えば図６に示すような通報内容画面３０のデータを作成し、作成した通報内容画面３０のデータを通信回線１１を介して通報者端末１４へ送信して、当該通報内容画面３０を通報者端末１４に表示させる。
【００２６】
通報内容画面３０には、例えば図６に示すように、通報の対象となる外国人の氏名を入力する領域３００と、国籍を選択する領域３０１と、性別を選択する領域３０２と、生年月日を入力する領域３０３と、処分内容を選択する領域３０４と、理由を選択する領域３０５と、所属機関名を入力する領域３０６と、所属終了日を入力する領域３０７と、通報者の情報を入力する領域３０８と、送信ボタン３０９とが設けられる。
【００２７】
領域３０１、領域３０４、および領域３０５内に入力される情報は、予め登録されている情報の中からプルダウン等により選択される。なお、処分内容としては、例えば「除籍」や「契約終了」等が予め登録されており、理由としては、例えば「不登校」や「不法就労発覚」、「契約期間の終了」、「欠勤の多発」等が予め格納されている。
【００２８】
通報者端末１４は、マウス等の入力装置を介して送信ボタン３０９が選択された場合に、領域３００から領域３０８に入力された情報に基づいて、例えば図７に示すような構造の通報４０のデータを作成し、作成した通報４０のデータを通信回線１１を介してブラックリスト登録装置２０へ送信する。
【００２９】
通報受付部２３は、通信回線１１を介して通報者端末１４から通報４０を受信した場合に、受信した通報４０内の情報の正確性を判定し、正確な情報であると判定した場合に、受信した通報４０内の情報を、「０」を示す完了フラグと共に通報格納部２２内に格納する。通報４０の正確性の判定方法の詳細については、後述する。
【００３０】
ここで、入国管理局の職員は、外国人が出国した場合に、入国管理局サーバ１５を操作して、当該外国人に対応する外国人特定情報を含む出国通知を、通信回線１１を介してブラックリスト登録装置２０へ送信する。通報受付部２３は、出国通知を受信した場合に、当該出国通知に含まれている外国人特定情報に基づいて外国人情報格納部２４を参照し、当該外国人特定情報に対応付けられている在留資格種別および在留期間の値を無効な値（例えば空白）に書き換える。
【００３１】
登録部２５は、所定のタイミング毎（例えば数日毎）に通報格納部２２を参照し、「０」の完了フラグが対応付けられているレコードを特定する。そして、登録部２５は、特定したそれぞれのレコードについて、所属終了日から所定期間（例えば３ヶ月）が経過しているか否かを判定する。
【００３２】
所属終了日から所定期間が経過しているレコードがある場合、登録部２５は、そのレコードに含まれている外国人特定情報に基づいて外国人情報格納部２４を参照し、当該外国人特定情報に対応付けられている在留資格種別および在留期間に有効な値が格納されているか否かを判定する。
【００３３】
在留資格種別および在留期間に有効な値が格納されている場合、登録部２５は、そのレコードに対応する外国人の情報を、通信回線１１を介してブラックリスト１２に登録する。ここで、所属終了日が過ぎていた場合に、即座にブラックリスト１２に登録せずに、所定期間の猶予を持たせているのは、引越し等の退去の準備を考慮したためである。
【００３４】
そして、登録部２５は、ブラックリスト１２に登録した外国人について、外国人情報格納部２４内の在留資格種別および在留期限の値を無効な値（例えば空白）に書き換え、通報格納部２２内の完了フラグに処理済を示す「１」を設定する。
【００３５】
一方、在留資格種別および在留期間に無効な値が格納されている場合、すなわち、対応する外国人が既に出国しているか、あるいは、対応する外国人の情報がブラックリスト１２に既に登録されている場合、登録部２５は、そのレコードに対応する外国人の情報をブラックリスト１２に登録することなく、通報格納部２２内において、その外国人の完了フラグに処理済を示す「１」を設定する。
【００３６】
ブラックリスト１２には、例えば図８に示すように、それぞれのレコードを識別するリストＩＤ１２０に対応付けて、外国人特定情報１２１、登録日１２２、登録事由１２３、処分内容１２４、および理由１２５が格納される。登録部２５がブラックリスト１２内にレコードを登録する場合、リストＩＤ１２０には、ブラックリスト１２内に他に存在しないＩＤが登録部２５によって新たに生成された値が格納される。また、登録日１２２には、当該レコードがブラックリスト１２内に登録された日が格納される。
【００３７】
また、ブラックリスト登録装置２０によってブラックリスト１２に登録される場合、登録事由は全て「資格取消」となるため、登録部２５は、レコードをブラックリスト１２に登録する場合には、登録事由１２３には「資格取消」を格納される。なお、入国管理局サーバ１５等、他の装置からブラックリスト１２内に情報が登録される場合には、その理由は「資格取消」以外の事由であってもよい。また、外国人特定情報１２１、処分内容１２４、および理由１２５には、通報格納部２２内の情報と同じものが格納される。
【００３８】
また、登録部２５は、所定のタイミング毎にブラックリスト１２を参照し、登録事由が「資格取消」となっているレコードについて、登録日から所定期間（例えば３ヶ月）が経過したレコードがあるか否かを判定し、もしあれば、そのレコードをブラックリスト１２から削除する。これにより、在留資格が取り消された外国人であっても、資格が取り消されてから所定期間が経過した後には、再び在留資格を得ることが可能となる。
【００３９】
なお、ブラックリスト１２に登録されてから削除されるまでの期間は、登録事由やそのときに施行されている法律の規定などにより変動する可能性がある。そのため、その期間は、変更可能となるような仕組みにしておくことが好ましい。
【００４０】
ここで、在留資格審査において、審査官が行う操作について説明する。審査官は、審査端末１３を操作して、例えば図９に示すブラックリスト照会画面３１を審査端末１３に表示させる。ブラックリスト照会画面３１には、在留資格審査の対象となる外国人の氏名が入力を受け付ける領域３１０と、国籍の選択を受け付ける領域３１１と、性別の選択を受け付ける領域３１２と、生年月日の入力を受け付ける領域３１３と、照会ボタン３１４とが表示される。
【００４１】
審査官は、パスポート等によって外国人から提示された外国人特定情報に基づいて、マウス等の入力装置を介してブラックリスト照会画面３１内のそれぞれの領域に必要事項を入力または選択し、照会ボタン３１４を押下する。すると、審査端末１３は、入力された外国人特定情報と少なくとも一部（特に氏名）が一致する外国人特定情報に対応付けられているレコードを、通信回線１１を介してブラックリスト１２から抽出する。
【００４２】
そして、審査端末１３は、抽出した情報に基づいて、例えば図１０に示すような照会結果画面３２を作成し、作成した照会結果画面３２を表示する。照会結果画面３２には、例えば図１０に示すように、ブラックリスト１２内のレコードの内容が表示される領域３２０や領域３２１、スライダ３２２、および戻るボタン３２３が表示される。戻るボタン３２３が選択されると、審査端末１３は、再びブラックリスト照会画面３１を表示する。
【００４３】
審査対象となる外国人の情報がブラックリスト１２に登録されている場合、図１０に示した照会結果画面３２を参照することにより、審査官は、在留資格審査において有用な情報を迅速に取得することができ、的確な審査を遂行することができる。
【００４４】
図１１は、通報格納部２２への登録処理の一例を示すフローチャートである。通報受付部２３は、通信回線１１を介して審査端末１３から通報４０を受信した場合に、本フローチャートに示す処理を開始する。
【００４５】
まず、通報受付部２３は、受信した通報４０から外国人特定情報を抽出する（Ｓ１００）。そして、通報受付部２３は、抽出した外国人特定情報が、外国人情報格納部２４内に格納されているか否かを判定する（Ｓ１０１）。抽出した外国人特定情報が、外国人情報格納部２４内に格納されていない場合（Ｓ１０１：Ｎｏ）、通報受付部２３は、受信した通報４０のデータを通報格納部２２に登録することなく破棄し、本フローチャートに示す処理を終了する。
【００４６】
抽出した外国人特定情報が、外国人情報格納部２４内に格納されている場合（Ｓ１０１：Ｙｅｓ）、通報受付部２３は、外国人情報格納部２４を参照し、当該外国人特定情報に対応付けられている在留資格種別および在留期限に有効な値が格納されているか否かを判定する（Ｓ１０２）。在留資格種別および在留期限に無効な値が格納されている場合（Ｓ１０２：Ｎｏ）、通報受付部２３は、受信した通報４０のデータを通報格納部２２に登録することなく破棄し、本フローチャートに示す処理を終了する。
【００４７】
在留資格種別および在留期限に有効な値が格納されている場合（Ｓ１０２：Ｙｅｓ）、通報受付部２３は、当該外国人特定情報に対応付けられている在留資格種別を外国人情報格納部２４から抽出する（Ｓ１０３）。そして、通報受付部２３は、抽出した在留資格種別に対応付けられている処分内容を処分内容格納部２１から抽出する（Ｓ１０４）。
【００４８】
次に、通報受付部２３は、ステップＳ１０３で抽出した在留資格種別と、ステップＳ１０４で抽出した処分内容との組合せが、受信した通報４０に含まれている在留資格種別および処分内容の組合せと一致しているか否かを判定する（Ｓ１０５）。組合せが一致しない場合（Ｓ１０５：Ｎｏ）、通報受付部２３は、受信した通報４０のデータを通報格納部２２に登録することなく破棄し、本フローチャートに示す処理を終了する。
【００４９】
一方、組合せが一致した場合（Ｓ１０５：Ｙｅｓ）、通報受付部２３は、受信した通報４０のデータを、「０」の完了フラグと共に通報格納部２２に登録し（Ｓ１０６）、本フローチャートに示す処理を終了する。
【００５０】
図１２は、ブラックリストへの登録処理の一例を示すフローチャートである。登録部２５は、例えば所定の時間間隔毎に本フローチャートに示す処理を実行する。
【００５１】
まず、登録部２５は、通報格納部２２を参照し、未選択のレコードを１つ選択する（Ｓ２００）。そして、登録部２５は、選択したレコード内の完了フラグの値が「０」か否かを判定する（Ｓ２０１）。完了フラグの値が「１」である場合（Ｓ２０１：Ｎｏ）、登録部２５は、ステップＳ２０７に示す処理を実行する。
【００５２】
一方、完了フラグの値が「０」である場合（Ｓ２０１：Ｙｅｓ）、登録部２５は、選択したレコード内の所属終了日から所定期間（例えば３ヶ月）が経過したか否かを判定する（Ｓ２０２）。所属終了日からは未だ所定期間が経過していない場合（Ｓ２０２：Ｎｏ）、登録部２５は、ステップＳ２０７に示す処理を実行する。
【００５３】
一方、所属終了日から所定期間が経過している場合（Ｓ２０２：Ｙｅｓ）、登録部２５は、ステップＳ２００で選択したレコードに含まれている外国人特定情報に基づいて外国人情報格納部２４を参照し、当該外国人特定情報に対応付けられている在留資格種別および在留期限に有効な値が格納されているか否かを判定する（Ｓ２０３）。在留資格種別および在留期限に無効な値が格納されている場合（Ｓ２０３：Ｎｏ）、登録部２５は、ステップＳ２０６に示す処理を実行する。
【００５４】
一方、在留資格種別および在留期限に有効な値が格納されている場合（Ｓ２０３：Ｙｅｓ）、登録部２５は、そのレコードに対応する外国人の情報を、通信回線１１を介してブラックリスト１２に登録する（Ｓ２０４）。そして、登録部２５は、ステップＳ２００で選択したレコード内の在留資格種別および在留期限の無効な値を設定し（Ｓ２０５）、完了フラグに処理済を示す「１」を設定する（Ｓ２０６）。
【００５５】
次に、登録部２５は、外国人情報格納部２４内のレコードを全て選択したか否かを判定する（Ｓ２０７）。外国人情報格納部２４内に未選択のレコードが存在する場合（Ｓ２０７：Ｎｏ）、登録部２５は、再びステップＳ２００に示した処理を実行する。一方、外国人情報格納部２４内のレコードを全て選択した場合（Ｓ２０７：Ｙｅｓ）、登録部２５は、本フローチャートに示した処理を終了する。
【００５６】
図１３は、ブラックリスト登録装置２０の機能を実現するコンピュータ５０のハードウェア構成の一例を示すハードウェア構成図である。コンピュータ５０は、ＣＰＵ（Central Processing Unit）５１、ＲＡＭ（Random Access Memory）５２、ＲＯＭ（Read Only Memory）５３、ＨＤＤ（Hard Disk Drive）５４、通信インターフェイス（Ｉ／Ｆ）５５、入出力インターフェイス（Ｉ／Ｆ）５６、およびメディアインターフェイス（Ｉ／Ｆ）５７を備える。
【００５７】
ＣＰＵ５１は、ＲＯＭ５３またはＨＤＤ５４に格納されたプログラムに基づいて動作し、各部の制御を行う。ＲＯＭ５３は、コンピュータ５０の起動時にＣＰＵ５１によって実行されるブートプログラムや、コンピュータ５０のハードウェアに依存するプログラム等を格納する。
【００５８】
ＨＤＤ５４は、ＣＰＵ５１によって実行されるプログラムおよび当該プログラムによって使用されるデータ等を格納する。通信インターフェイス５５は、通信回線１１を介して他の機器からデータを受信してＣＰＵ５１へ送ると共に、ＣＰＵ５１が生成したデータを、通信回線１１を介して他の機器へ送信する。
【００５９】
ＣＰＵ５１は、入出力インターフェイス５６を介して、ディスプレイ等の出力装置、および、マウスやキーボード等の入力装置を制御する。ＣＰＵ５１は、入出力インターフェイス５６を介して、入力装置から信号を取得する。また、ＣＰＵ５１は、生成した信号を、入出力インターフェイス５６を介して出力装置へ出力する。
【００６０】
メディアインターフェイス５７は、記録媒体５８に格納されたプログラムまたはデータを読み取り、ＲＡＭ５２を介してＣＰＵ５１に提供する。ＣＰＵ５１は、当該プログラムを、メディアインターフェイス５７を介して記録媒体５８からＲＡＭ５２上にロードし、ロードしたプログラムを実行する。記録媒体５８は、例えばＤＶＤ（Digital Versatile Disk）、ＰＤ（Phase change rewritable Disk）等の光学記録媒体、ＭＯ（Magneto-Optical disk）等の光磁気記録媒体、テープ媒体、磁気記録媒体、または半導体メモリ等である。
【００６１】
コンピュータ５０のＣＰＵ５１は、ＲＡＭ５２上にロードされたプログラムを実行することにより、処分内容格納部２１、通報格納部２２、通報受付部２３、外国人情報格納部２４、および登録部２５の各機能を実現する。また、ＲＯＭ５３やＨＤＤ５４には、処分内容格納部２１、通報格納部２２、および外国人情報格納部２４内のデータが格納される。
【００６２】
コンピュータ５０のＣＰＵ５１は、これらのプログラムを、記録媒体５８から読み取って実行するが、他の例として、他の装置から、通信回線１１を介してこれらのプログラムを取得してもよい。
【００６３】
以上、本発明の実施の形態について説明した。
【００６４】
上記説明から明らかなように、本実施形態の在留資格管理システム１０によれば、実際の状況に即した適切な在留資格審査を行うことができる。
【００６５】
なお、上記した実施形態は、本発明を分かりやすく説明するために詳細に説明したものであり、本発明が必ずしも説明した全ての構成要素を備えるものに限定されるものではない。また、ある実施形態の構成の一部を、他の実施形態の構成に置き換えることが可能であり、ある実施形態の構成に、他の実施形態の構成を加えることも可能である。また、各実施形態の構成の一部について、他の構成の追加・削除・置換をすることが可能である。
【００６６】
また、上記した実施形態では、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００６７】
１０：在留資格管理システム、１１：通信回線、１２：ブラックリスト、１３：審査端末、１４：通報者端末、１５：入国管理局サーバ、２０：ブラックリスト登録装置、２１：処分内容格納部、２２：通報格納部、２３：通報受付部、２４：外国人情報格納部、２５：登録部、３０：通報内容画面、３１：ブラックリスト照会画面、３２：照会結果画面、４０：通報、５０：コンピュータ、５１：ＣＰＵ、５２：ＲＡＭ、５３：ＲＯＭ、５４：ＨＤＤ、５５：通信インターフェイス、５６：入出力インターフェイス、５７：メディアインターフェイス、５８：記録媒体
【図１】
2015011643.tif 000003
【図２】
2015011643.tif 000004
【図３】
2015011643.tif 000005
【図４】
2015011643.tif 000006
【図５】
2015011643.tif 000007
【図６】
2015011643.tif 000008
【図７】
2015011643.tif 000009
【図８】
2015011643.tif 000010
【図９】
2015011643.tif 000011
【図１０】
2015011643.tif 000012
【図１１】
2015011643.tif 000013
【図１２】
2015011643.tif 000014
【図１３】
2015011643.tif 000015